(57)【要約】【課題】目視だけで簡単に残り枚数を確認することができ、日常品であるゴミ袋等のプラスチックフイルム袋を切らすことなく、常時準備しておくことの注意を促すことができるロール状フイルム袋の提供。【解決手段】多数のプラスチックフイルム袋１が、順次ロール状に巻き取られているロール状フイルム袋Ａであって、多数のプラスチックフイルム袋に、巻き取り内端のプラスチックフイルム袋を数字の１として、順に連続した数字が表示されている。【選択図】      図１
2004175399.tif 000002
【特許請求の範囲】
【請求項１】
多数のプラスチックフイルム袋が、順次ロール状に巻き取られているロール状フイルム袋であって、
前記多数のプラスチックフイルム袋に、巻き取り内端のプラスチックフイルム袋を数字の１として、順に連続した数字が表示されていることを特徴とするロール状フイルム袋。
【請求項２】
多数のプラスチックフイルム袋が、順次ロール状に巻き取られているロール状フイルム袋であって、
前記多数のプラスチックフイルム袋に、巻き取り内端のプラスチックフイルム袋を数字の１として、巻き取り内端から巻き取り外端に向かって１枚置きのプラスチックフイルム袋に、順に１つ置きの連続した数字が表示されていることを特徴とするロール状フイルム袋。
【請求項３】
多数のプラスチックフイルム袋が、順次ロール状に巻き取られているロール状フイルム袋であって、
前記多数のプラスチックフイルム袋に、巻き取り内端のプラスチックフイルム袋を数字の１として、巻き取り内端から巻き取り外端に向かって２枚置きのプラスチックフイルム袋に、順に２つ置きの連続した数字が表示されていることを特徴とするロール状フイルム袋。
【請求項４】
多数のプラスチックフイルム袋が、順次ロール状に巻き取られているロール状フイルム袋であって、
前記多数のプラスチックフイルム袋に、巻き取り外端のプラスチックフイルム袋を数字の１として、順に連続した数字が表示されていることを特徴とするロール状フイルム袋。
【請求項５】
多数のプラスチックフイルム袋が、順次ロール状に巻き取られているロール状フイルム袋であって、
前記多数のプラスチックフイルム袋に、巻き取り外端のプラスチックフイルム袋を数字の１として、巻き取り外端から巻き取り内端に向かって１枚置きのプラスチックフイルム袋に、順に１つ置きの連続した数字が表示されていることを特徴とするロール状フイルム袋。
【請求項６】
多数のプラスチックフイルム袋が、順次ロール状に巻き取られているロール状フイルム袋であって、
前記多数のプラスチックフイルム袋に、巻き取り外端のプラスチックフイルム袋を数字の１として、巻き取り外端から巻き取り内端に向かって２枚置きのプラスチックフイルム袋に、順に２つ置きの連続した数字が表示されていることを特徴とするロール状フイルム袋。
【請求項７】
請求項１〜６のうちいずれか１項記載のロール状フイルム袋において、多数のプラスチックフイルム袋がミシン目状の切取線を介して一連に連結された連続プラスチックフイルム袋に形成されていることを特徴とするロール状フイルム袋。
【請求項８】
請求項１〜６のうちいずれか１項記載のロール状フイルム袋において、多数のプラスチックフイルム袋がそれぞれ分離して形成され、かつ、各プラスチックフイルム袋は、その端部が重なるように若干ズラして配列されて各プラスチックフイルム袋が接続するように形成されていることを特徴とするロール状フイルム袋。
【発明の詳細な説明】
【０００１】
【発明の属する技術分野】
本発明は、多数のプラスチックフイルム袋（例えば、ゴミ袋）が、順次ロール状に巻き取られているロール状フイルム袋に関し、特に、プラスチックフイルム袋の残り枚数が判るようにした技術に関する。
【０００２】
【従来の技術】
従来、ゴミ袋等のプラスチックフイルム袋の包装形態については、これを一枚づつ重ねて多数枚（例えば、１０枚、２０枚、３０枚等）の束にして包装したもの（前者）と、多数のプラスチックフイルム袋を順次ロール状に巻き取って包装したもの（後者、例えば、特許文献１参照）とに分けることができる。
前者のものは、プラスチックフイルム袋束の外側のプラスチックフイルム袋から順に１枚づつ取り出して使用し、また、後者のものは、ロール状フイルム袋を繰り出しながら外端のプラスチックフイルム袋から順に１枚づつ使用していくことになる。
【０００３】
【特許文献１】
特開２００１−２０８２号公報
【０００４】
このようにして、プラスチックフイルム袋を使用していくと、当然にプラスチックフイルム袋の残り枚数が減少していくが、このとき、前者のプラスチックフイルム袋束は、プラスチックフイルム袋を１枚づつ重ねたものであるため、プラスチックフイルム袋を１枚づつ数えていくことが可能であり、残り枚数を確認することができる。
また、後者のロール状フイルム袋にあっては、多数のプラスチックフイルム袋を順次ロール状に巻き取ったものであるため、残り枚数を確認するには、ロール状フイルム袋を全て繰り出して数える必要があり、このような手間をかけてまで残り枚数を確認するといったことはしないのが実情である。
【０００５】
ゴミ袋等のプラスチックフイルム袋については、日常品であるため、これを常時準備しておくのが望ましく、そのためには、その残り枚数を簡単に確認できようにしておくことが求められる。
この点において、前記したように、後者のロール状フイルム袋については、残り枚数の確認ができないという問題があった。
なお、従来、ロール状フイルム袋について、残り枚数の確認を目的として、数字を１から順に表示したもの等は見受けられない。
【０００６】
【発明が解決しようとする課題】
本発明は、かかる従来の問題を解決するためになされたもので、多数のプラスチックフイルム袋を順次ロール状に巻き取ったロール状フイルム袋について、目視だけで簡単に残り枚数を確認することができるようにしたロール状フイルム袋を提供することを課題としている。
【０００７】
【課題を解決するための手段】
上記の課題を解決するために、本発明のロール状フイルム袋（請求項１）は、多数のプラスチックフイルム袋が、順次ロール状に巻き取られているロール状フイルム袋であって、
前記多数のプラスチックフイルム袋に、巻き取り内端のプラスチックフイルム袋を数字の１として、順に連続した数字が表示されている構成とした。
【０００８】
又、本発明のロール状フイルム袋（請求項２）は、
多数のプラスチックフイルム袋が、順次ロール状に巻き取られているロール状フイルム袋であって、
前記多数のプラスチックフイルム袋に、巻き取り内端のプラスチックフイルム袋を数字の１として、巻き取り内端から巻き取り外端に向かって１枚置きのプラスチックフイルム袋に、順に１つ置きの連続した数字が表示されている構成とした。
【０００９】
又、本発明のロール状フイルム袋（請求項３）は、
多数のプラスチックフイルム袋が、順次ロール状に巻き取られているロール状フイルム袋であって、
前記多数のプラスチックフイルム袋に、巻き取り内端のプラスチックフイルム袋を数字の１として、巻き取り内端から巻き取り外端に向かって２枚置きのプラスチックフイルム袋に、順に２つ置きの連続した数字が表示されている構成とした。
【００１０】
又、本発明のロール状フイルム袋（請求項４）は、
多数のプラスチックフイルム袋が、順次ロール状に巻き取られているロール状フイルム袋であって、
前記多数のプラスチックフイルム袋に、巻き取り外端のプラスチックフイルム袋を数字の１として、順に連続した数字が表示されている構成とした。
【００１１】
又、本発明のロール状フイルム袋（請求項５）は、
多数のプラスチックフイルム袋が、順次ロール状に巻き取られているロール状フイルム袋であって、
前記多数のプラスチックフイルム袋に、巻き取り外端のプラスチックフイルム袋を数字の１として、巻き取り外端から巻き取り内端に向かって１枚置きのプラスチックフイルム袋に、順に１つ置きの連続した数字が表示されている構成とした。
【００１２】
又、本発明のロール状フイルム袋（請求項６）は、
多数のプラスチックフイルム袋が、順次ロール状に巻き取られているロール状フイルム袋であって、
前記多数のプラスチックフイルム袋に、巻き取り外端のプラスチックフイルム袋を数字の１として、巻き取り外端から巻き取り内端に向かって２枚置きのプラスチックフイルム袋に、順に２つ置きの連続した数字が表示されている構成とした。
【００１３】
又、前記ロール状フイルム袋（請求項１〜６のうちいずれか１項記載のもの）において、多数のプラスチックフイルム袋がミシン目状の切取線を介して一連に連結された連続プラスチックフイルム袋に形成されている態様（請求項７）がある。
【００１４】
又、前記ロール状フイルム袋（請求項１〜６のうちいずれか１項記載のもの）において、多数のプラスチックフイルム袋がそれぞれ分離して形成され、かつ、各プラスチックフイルム袋は、その端部が重なるように若干ズラして配列されて各プラスチックフイルム袋が接続するように形成されている態様（請求項８）がある。
【００１５】
【発明の実施の形態】
以下、本発明の実施の形態を図面に示した実施例により詳述する。ただし、本発明の具体的な構成は、この実施例に限定されるものではない。
【００１６】
図１は本発明の第１実施例であるロール状ゴミ袋の斜視図である。
このロール状ゴミ袋Ａは、多数（実施例では２０枚）のゴミ袋１がミシン目状の切取線１０を介して一連に連結された連続ゴミ袋ａに形成されたもので、透明な長尺筒状プラスチックフイルム１１に一定間隔毎に溶着シール１２を形成し、この溶着シール１２に近接してミシン目状の切取線１０を形成しながらロール状に巻き取ったものである。
従って、前記切取線１０から切断することにより、上端に開口部１３が形成されると共に、溶着シール１２によって底端が閉鎖したゴミ袋１を得ることができる。
【００１７】
そして、前記多数のゴミ袋１に、巻き取り内端のゴミ袋１ａを数字の１として、順に連続した数字を表示している。即ち、巻き取り内端のゴミ袋１ａに数字の１を表示し、この巻き取り内端のゴミ袋１ａから巻き取り外端に向けて残り１９枚の各ゴミ袋１に順に数字の２、３、４、５………１８、１９、２０を表示している。
この場合、使い初めとなる巻き取り外端のゴミ袋１ｂから見れば、数字の２０から順にカウントダウンしていき、２０枚目である巻き取り内端のゴミ袋１ａに表示した数字の１で終了することになる。
【００１８】
そして、前記ロール状ゴミ袋Ａの使用に際しては、当初は、数字の２０が表示されたゴミ袋１ｂが巻き取り外端にあるが、そこから例えば、２枚のゴミ袋１，１を使用すると、今度は数字の１８が表示されたゴミ袋１が巻き取り外端になる。
従って、その数字の１８を見れば、それだけで残りの枚数が１８枚であることが判る。更にゴミ袋１を使用していっても、巻き取り外端のゴミ袋１に表示された数字を見れば、残りの枚数を確認できる。そこで、残り枚数が少なくなった時点で新しいロール状ゴミ袋Ａを購入するようにすれば、ゴミ袋が切れてなくなることがなく、常時準備しておくことができるようになる。
【００１９】
なお、巻き取り内端のゴミ袋１ａから数枚（例えば、５枚）前のゴミ袋までの数字の色（例えば、赤色インク）と、他のゴミ袋の数字の色（例えば、青色インク）を異なるようにしておいたり、巻き取り内端のゴミ袋から数枚（例えば、５枚ほど）前のゴミ袋まで数字の大きさを大きくしたり、又、巻き取り内端のゴミ袋から数枚（例えば、５枚ほど）前のゴミ袋まで数字とは別の目印（例えば、赤色ライン等）を表示したりしておけば、残り枚数が少なくなっているとの注意を促すことができる。
【００２０】
次に、図２は本発明の第２実施例であるロール状ゴミ袋の斜視図である。
このロール状ゴミ袋Ｂは、一端に開口部２０が形成され、他端に溶着シール２１が形成された多数のゴミ袋２（実施例では２０枚）がそれぞれ分離して形成され、かつ、各ゴミ袋は、その端部が重なるように若干ズラして配列されて各ゴミ袋が接続するように形成されたもの（インターリーフ）で、ゴミ袋２を若干ズラしていくことに伴ない発生する静電気を利用しながら多数のゴミ袋２を順次にロール状に巻き取ったものである。
従って、前記第１実施例のロール状ゴミ袋Ａと異なり、ミシン目状の切取線から各ゴミ袋を切断するといったことなく、巻き取り外端から１枚づつ剥がしていくことができる。
【００２１】
そして、前記多数のゴミ袋２に、巻き取り外端のゴミ袋２ｂを数字の１として、順に連続した数字を表示している。即ち、巻き取り外端のゴミ袋２ｂに数字の１を表示し、この巻き取り外端のゴミ袋２ｂから巻き取り内端に向けて残り１９枚の各ゴミ袋２に順に数字の２、３、４、５………１８、１９、２０を表示している。
この場合、使い初めとなる巻き取り外端のゴミ袋２ｂから見れば、数字の１から順にカウントアップしていき、２０枚目である巻き取り内端のゴミ袋２ａに表示した数字の２０で終了することになる。
【００２２】
そして、前記ロール状ゴミ袋Ｂの使用に際しては、当初は、数字の１が表示されたゴミ袋１ｂが巻き取り外端にあるが、そこから例えば、２枚のゴミ袋２，２を使用すると、今度は数字の３が表示されたゴミ袋２が巻き取り外端になる。
従って、その数字の３を見れば、既に２枚のゴミ袋２を使用し、残り枚数が１８枚であることが判る。更にゴミ袋２を使用しても、巻き取り外端のゴミ袋２に表示された数字を見れば、当初の枚数から減算して残りの枚数を確認することができる。
【００２３】
なお、本発明のロール状ゴミ袋において、各プラスチックフイルム袋の用途（例えば、ゴミ袋、水切り袋等）、形状（例えば、開口部縁の形状）、材質（生分解性プラスチックを含む）、ガゼットの有無、巻き取る際の折り畳みの有無、巻き取り芯の有無に制限はない。
又、数字の色、大きさ、形態（例えば、算用数字、漢数字、丸付き数字等）、印刷方法（例えば、インクジェット等）に制限はない。又、数字の表示位置は、できるだけ見やすい場所、例えば、巻き端に近い位置に表示するのが好ましいが、各ゴミ袋の上であれば、その表示位置に制限はない。
又、本発明において、例えば、巻き取り内端又は巻き取り外端のプラスチックフイルム袋から１枚置きのプラスチックフイルム袋に１、３、５、７・・のように１つ置きの数字を表示したり、又、２枚置きのプラスチックフイルム袋に１、４、７、１０・・のように２つ置きの数字を表示したり、３枚置き、４枚置き又は５枚置きのプラスチックフイルム袋に３つ置き、４つ置き又は５つ置きの数字を表示したものについても、本発明で言う「連続した数字」に含めるものとする。
【００２４】
【発明の効果】
以上説明してきたように、本発明のロール状フイルム袋にあっては、目視だけで簡単に残り枚数を確認することができ、日常品であるゴミ袋等のプラスチックフイルム袋を切らすことなく、常時準備しておくことの注意を促すことができるようになる。
【図面の簡単な説明】
【図１】本発明の第１実施例であるロール状フイルム袋の斜視図である。
【図２】本発明の第２実施例であるロール状フイルム袋の斜視図である。
【符号の説明】
Ａ  ロール状ゴミ袋（ロール状フイルム袋）
ａ  連続ゴミ袋
１  ゴミ袋（プラスチックフイルム袋）
１ａ  ゴミ袋
１ｂ  ゴミ袋
１０  切取線
１１  長尺筒状プラスチックフイルム
１２  溶着シール
１３  開口部
Ｂ  ロール状ゴミ袋（ロール状フイルム袋）
２  ゴミ袋（プラスチックフイルム袋）
２ａ  ゴミ袋
２ｂ  ゴミ袋
２０  開口部
２１  溶着シール
【図１】
2004175399.tif 000003
【図２】
2004175399.tif 000004